(57)【特許請求の範囲】
【請求項１】
衣類を順次搬送する第一ないし第四ベルトコンベアと、第一ベルトコンベアと第二ベルトコンベアの間に設けられた第一折り込み部材（５）と、第二ベルトコンベアと第三ベルトコンベアの間に設けられた第二折り込み部材（６）とを備えた衣類の折り畳み装置であって、
第一ベルトコンベアは、衣類の袖部を折り畳む第一袖折り機（８）を搭載し、
第二ベルトコンベアは、第一ベルトコンベアと直列に配置され、正逆回転可能であり、
第三ベルトコンベアは、衣類の袖部を折り畳む第二袖折り機（９）を搭載し、第一ベルトコンベアの下方かつ第二ベルトコンベアと直列に配置され、正逆回転可能であり、
第四ベルトコンベアは、第三ベルトコンベアと直列に配置されることを特徴とする衣類の折り畳み装置。
【請求項２】
第一ないし第四ベルトコンベア上を順次搬送される衣類の折り畳み方法において、
衣類の袖部を折り畳む第一袖折り機（８）を搭載した第一ベルトコンベアを設け、
第一ベルトコンベアと直列に配置され、正逆回転可能な第二ベルトコンベアを設け、
衣類の袖部を折り畳む第二袖折り機（９）を搭載し、第一ベルトコンベアの下方かつ第二ベルトコンベアに直列に配置され、正逆回転可能な第三ベルトコンベアを設け、
第三ベルトコンベアに直列に配置される第四ベルトコンベアを設け、
表折りにおいては、第一袖折り機（８）を作動させ、第二袖折り機（９）を非作動とし、
裏折りにおいては、第一袖折り機（８）を非作動とし、第二袖折り機（９）を作動させることを特徴とする衣類の折り畳み方法。
【発明の詳細な説明】
【０００１】
【発明の属する技術分野】
本発明は、浴衣、着物、衣服等の衣類の袖および胴部を重ね折りして包装するための折り畳み装置および方法に関するものである。
【０００２】
【発明が解決しようとする課題】
従来、浴衣、着物、衣服等の衣類の袖および胴部を重ね折り（二つ折り）するのを手作業で行っていたが、大量になると手作業では大変な重労働となる。
そこで、衣類の袖および胴を重ね折りして畳む装置が開発されたが、従来の折り畳み装置では衣類の表面が上にベルトコンベアに載置されて移動してくると、表面のみにしか折り畳むことが出来ず、裏面が上にコンベアに載置されて移動してくると裏面のみにしか折り込むことが出来なかった。
【０００３】
その為、表面に折り畳んだ仕上げ品を望む時には、衣類の折り畳み装置に入れる前に点検して表面を上にして装置に入れなければならないといった問題点があった。
【０００４】
そこで、本発明は折り畳み装置に衣類の表面および裏面のどちらに供給しても衣類の表折り（正規折り）と裏折り（反対折り）を一台の折り畳み装置によって折り畳むことができる折り畳み装置および方法を提供することを目的としたものである。
【０００５】
【課題を解決するための手段】
上記目的を達成するために、本発明は衣類の袖部を折り畳む袖折り機を搭載した第一ベルトコンベアと衣類を移動させる第二ベルトコンベアとを直列に設け、第一ベルトコンベアと第二ベルトコンベアとの間に衣類を２つ折りする折り込み部材を設け、第一ベルトコンベアの下方に、袖部を折り畳む袖折り機を搭載した第三ベルトコンベアを設け、第二ベルトコンベアと第三ベルトコンベアとの間に衣類を二つ折りする折り込み部材を設けた。第二ベルトコンベアの下方で第三ベルトコンベアに直列に配置して、折り畳んだ衣類を搬送する為の第四ベルトコンベアを設けた構成からなる。
【０００６】
上記構成から、表面によって折り畳むには第一ベルトコンベアで袖折り機によって衣類の袖を折り畳んだ後、第二ベルトコンベアに向って移動し、衣類の二つ折り部分（胴部）が第一ベルトコンベアと第二ベルトコンベアの間に来ると折り込み部材によって衣類をベルトコンベア間に押込むと同時に第二ベルトコンベアを逆転させて衣類を二つ折りして第三ベルトコンベアに送り込み、第三ベルトコンベアから第四ベルトコンベアに移動させて搬出する。
【０００７】
裏面によって折り畳むには第一ベルトコンベアに載置した衣類は第一ベルトコンベアの端部で反転して第二ベルトコンベアに移り、第二ベルトコンベアから第三ベルトコンベアに移動して第三ベルトコンベアで袖折り機によって衣類の袖を折り畳んだ後、第三ベルトコンベアと第二ベルトコンベアとの間の間隔に衣類の二つ折り部を位置させて折り込み部材によって衣類を押込むと同時に第三ベルトコンベアを逆転させて二つ折りした後、第四ベルトコンベアに移動させて搬出する。
【０００８】
【発明の実施の形態】
本発明の実施の形態について図面を参照して説明すると、図１において、第一ベルトコンベア１の上面に第一ベルトコンベア１上を移動して来る衣類13の袖を誘導体10で上方に導き浮かせた後、折り目ガイド11によって袖の折り目部分を押さえる。浮き上がった袖の下に折り返し部材12を差込み横に移動して袖部分を折り返す構成からなる第一袖折り機８を設ける。
【０００９】
第一ベルトコンベア１に直列に配置した第二ベルトコンベア２を設け、第一ベルトコンベア１と第二ベルトコンベア２との間に衣類13を二つ折りにするための第一折り込み部材５を設け、第一袖折り機８と同じ機能を持つ第二袖折り機９を搭載した第三ベルトコンベア３を第一ベルトコンベアの下方に設け、第二ベルトコンベア２と第三ベルトコンベア３との間に衣類13を二つ折りにするための第二折り込み部材６を設け、第三ベルトコンベア３に直列して配置し、衣類13を三っ折りするための第四ベルトコンベア４を設けた構成の折り畳み装置である。
【００１０】
正規折りにおいては、図２（ａ）に示すように、衣類13を第一ベルトコンベア１に載置して移動し、第一ベルトコンベア１に搭載した第一袖折り機８によって衣類13の袖部を折り畳むと、衣類13を第一袖折り機８から外して第一ベルトコンベア１によって移動し、第二ベルトコンベア２に移る。
【００１１】
図２（ｂ）に示すように、第一ベルトコンベア１と第二ベルトコンベア２との間に衣類13の胴部が来ると、第一折り込み部材５によって第一ベルトコンベア１と第二ベルトコンベア２との間に胴部を押し込むと同時に第二ベルトコンベア２を逆回転させると、衣類13は胴部で折り畳まれて両ベルトコンベア間を移動する。
【００１２】
図２（ｃ）に示すように、衣類13は第三ベルトコンベア３に移動して、胴部は折り畳んだ状態で載置される。
図２（ｄ）に示すように、第三ベルトコンベア３の逆回転によって、折り畳まれた衣類13は第四ベルトコンベア４に移動し、第四ベルトコンベア４でプレスされて搬出される。
【００１３】
反対折りにおいては、図３（ａ）に示すように、第一ベルトコンベア１上に載置された衣類13は第一ベルトコンベア１に搭載されている第一袖折り機８で袖を折ることなく通過し、第一ベルトコンベア１に乗って移動し、第一ベルトコンベア１の端で衣類13は回転して第二ベルトコンベア２との間を通って第二ベルトコンベア２上に反転して移る。この時、第二ベルトコンベア２は衣類13を第三ベルトコンベア３に送り出すように逆回転をする。
【００１４】
第３（ｂ）図に示すように、第二ベルトコンベア２上で面が反転して載置された衣類13は第二ベルトコンベア２から第三ベルトコンベア３に移動し、衣類13の胴部が第二ベルトコンベア２と第三ベルトコンベア３の間に来ると、一旦、ベルトコンベアの回転を止めて、第三ベルトコンベア３に搭載した第二袖折り機９で衣類13の袖を折る。その後、衣類13の胴部で二つ折りにするために第二ベルトコンベア２と第三ベルトコンベア３の間に衣類13の胴部が来ると、第二折り込み部材６によって衣類13の胴部を押し込むと同時に第三ベルトコンベア３を逆転させる。
【００１５】
図３（ｃ）に示すように、衣類13は第二ベルトコンベア２と第三ベルトコンベア３との間を通って二つ折りに折り畳まれて、第四ベルトコンベア４に移動し、第四ベルトコンベア４でプレスされて搬出する。
【００１６】
【発明の効果】
本発明は、以上説明したように構成されているので、以下に記載されるような効果を奏する。
一台の折畳み装置で衣類の表面または裏面のどちらの面でも折り畳むことが出来る。
袖折り機を装置の片側に集めたので袖折り機の駆動装置を共通に使用でき、コンパクトにまとめることができる。
【図面の簡単な説明】
【図１】本発明の衣類折畳み装置の概略説明図である。
【図２】折畳み装置の衣類の表面折りの手順を示す概略説明図である。
【図３】折畳み装置の衣類の裏面折りの手順を示す概略説明図である。
【符号の説明】
１  第一ベルトコンベア
２  第二ベルトコンベア
３  第三ベルトコンベア
４  第四ベルトコンベア
５  第一折り込み部材
６  第二折り込み部材
７  第三折り込み部材
８  第一袖折り機
９  第二袖折り機
10  誘導体
11  折り目ガイド
12  折り返し部材
13  衣類
【図１】
0004007517.tif 000002
【図２】
0004007517.tif 000003
【図３】
0004007517.tif 000004